(57)【要約】【課題】サイドミラーの後扉に収納部を取り付けるに際して、サイド収納部の収納量が収納部によって制限されることなく、全体としての収納量を増やすことができる。【解決手段】キャビネット本体２の中央の前面２ａにセンターミラー３Ａ、両側の前面にサイドミラー３Ｂが各々設けられ、サイドミラー３Ｂの後側Ｄにサイド収納部５を形成してなる両開き三面鏡型のミラーキャビネット１である。サイドミラー３Ｂをミラー前扉６とミラー前扉６に枢着される後扉７とで構成し、後扉７を枠状に形成すると共に、枠状の後扉７の内側に少なくとも前部８ａが入り込むようにして収納部８を後扉７側に取り付けた。【選択図】　　　　図１
2004057406.tif 000002
【特許請求の範囲】
【請求項１】
キャビネット本体の中央の前面にセンターミラー、両側の前面にサイドミラーが各々設けられ、サイドミラーの後側にサイド収納部を形成し、サイドミラーを開いてサイド収納部を使用可能としてなる両開き三面鏡型のミラーキャビネットであって、サイドミラーをミラー前扉とミラー前扉に枢着される後扉とで構成し、後扉を枠状に形成すると共に、枠状の後扉の内側に少なくとも前部が入り込むようにして収納部を後扉側に取り付けて成ることを特徴とするミラーキャビネット。
【請求項２】
キャビネット本体に形成されるサイド収納部の開口縁部の前端縁をキャビネット本体の中央の前面と略面一状に形成すると共に、サイドミラーを閉じたときに該開口縁部の内側に後扉の全部又はその大部分を収納できるようにしたことを特徴とする請求項１記載のミラーキャビネット。
【請求項３】
後扉は、枠体と枠体の中に嵌め込まれる面板とで構成され、面板に収納部を取り付けたことを特徴とする請求項１又は２記載のミラーキャビネット。
【請求項４】
後扉の上下の枠部分にサイド収納部の開口縁部の外側に向けて突出する薄肉の突出部を設け、この薄肉の突出部をミラー前扉に枢着したことを特徴とする請求項１乃至３のいずれかに記載のミラーキャビネット。
【発明の詳細な説明】
【０００１】
【発明の属する技術分野】
本発明は、例えばシステムキッチンの洗面化粧台に用いられる両開き三面鏡型のミラーキャビネットに関するものである。
【０００２】
【従来の技術】
従来、両開き三面鏡型のミラーキャビネット１として、図１３〜図１５に示すように、キャビネット本体２の中央の前面２ａにセンターミラー３Ａ、両側の前面にサイドミラー３Ｂを各々設け、サイドミラー３Ｂをミラー前扉６とミラー前扉６に枢着される板状の後扉２０とで構成し、板状の後扉２０の後側Ｄに収納部８を取り付けると共に、この収納部８をキャビネット本体２に形成されたサイド収納部５に面して配置したものが知られている。また従来は、図１６に示すように、板状の後扉２０の背面からサイド収納部５内に向けて突出するように上下複数の棚板からなる収納部８が取り付けられており、この収納部８に化粧や整髪等のドレッシング作業に用いる化粧品、整髪料、整髪道具等の小物を収納するようにしている。これにより、ドレッシング作業中に後扉２０を開けることで、小物を取り出して使用できるようになり、小物の取り扱いに便利となる。
【０００３】
【発明が解決しようとする課題】
ところが、従来のように板状の後扉２０の後側に収納部８を取り付けた場合にあっては、サイド収納部５の奥行き寸法Ｇは一定であるために、収納部８がサイド収納部５内に突出して配置されることで、収納部８の奥行き寸法Ｆを大きくしようとすればその分だけサイド収納部５の収納量が制限されてしまい、全体として収納量を増やすことができないという問題があった。
【０００４】
また、両開き三面鏡３のデザイン性を重視する上では、図１５に示すように、センターミラー３Ａとサイドミラー３Ｂとを面一状に配置することが重要であるが、サイドミラー３Ｂがミラー前扉６と板状の後扉２０とで構成されている場合にあっては、ミラー前扉６をセンターミラー３Ａと面一状にするために、図１７に示すように、少なくとも板状の後扉２０の厚み分以上、サイド収納部５の開口縁部１０を後側に大きく凹ませる必要がある。このためキャビネット本体２の中央に大きな凸形状１４が生じてしまい、仮りにサイドミラー３Ｂとして通常の１枚のミラー扉を使用する場合はそのキャビネット本体２を兼用できなくなる。つまり、サイドミラー３Ｂが通常の１枚のミラー扉の場合は、このミラー扉をセンターミラー３Ａと面一状に配置しようとすると、ミラー扉の後側に開口縁部１０の前端縁１０ａとの間で大きな隙間が生じてしまう。このため従来では、サイドミラー３Ｂとして通常の１枚扉を使用する場合は、１枚扉専用のキャビネット本体２（中央に大きな凸形状が生じていないもの）を別に作製する必要があり、コストがかかるという問題があった。
【０００５】
本発明は、上記の従来例の問題点に鑑みて発明したものであって、その目的とするところは、サイドミラーの後扉に収納部を取り付けるに際して、サイド収納部の収納量が収納部によって制限されることなく、全体としての収納量を増やすことができるミラーキャビネットを提供することにあり、さらに他の目的とするところは、サイドミラーが２枚扉以外に通常の１枚扉の場合であっても共通のキャビネット本体を兼用でき、低コスト化を実現できるミラーキャビネットを提供することにある。
【０００６】
【課題を解決するための手段】
上記課題を解決するために請求項１記載の発明にあっては、キャビネット本体２の中央の前面２ａにセンターミラー３Ａ、両側の前面にサイドミラー３Ｂが各々設けられ、サイドミラー３Ｂの後側Ｄにサイド収納部５を形成してなる両開き三面鏡型のミラーキャビネットであって、サイドミラー３Ｂをミラー前扉６とミラー前扉６に枢着される後扉７とで構成し、後扉７を枠状に形成すると共に、枠状の後扉７の内側に少なくとも前部８ａが入り込むようにして収納部８を後扉７側に取り付けて成ることを特徴としており、このように構成することで、収納部８の奥行き寸法Ｆを枠状の後扉７のほぼ厚み分Ｅだけ増やすことができ、これにより後扉７の厚み分を収納スペースとして有効利用でき、これによりサイド収納部５の収納量を狭めることなく後扉７に取り付けた収納部８の奥行きを増やすことが可能となり、全体として収納量を増大させることができる。
【０００７】
また上記キャビネット本体２に形成されるサイド収納部５の開口縁部１０の前端縁１０ａをキャビネット本体２の中央の前面２ａと略面一状に形成すると共に、サイドミラー３Ｂを閉じたときに該開口縁部１０の内側に後扉７の全部又はその大部分を収納できるようにするのが好ましく、この場合、サイドミラー３Ｂが２枚扉の場合は後扉７がサイド収納部５の開口縁部１０の内側に入り込むことで、ミラー前扉６をセンターミラー３Ａと略面一状に配置できるようになり、一方、サイドミラー３Ｂとして通常の１枚のミラー扉を使用した場合はそのミラー扉の背面に開口縁部１０との間で大きな隙間が生じることがないので、サイドミラー３Ｂが２枚扉、或いは通常の１枚扉のいずれの場合も本発明のキャビネット本体２を兼用できるようになる。
【０００８】
また上記後扉７は、枠体７ａと枠体７ａの中に嵌め込まれる面板７ｂとで構成され、面板７ｂに収納部８を取り付けるのが好ましく、この場合、枠体７ａの中に嵌め込まれる面板７ｂに収納部８を取り付けることで、枠体７ａの内側に入り込むようにして収納部８を取り付けることが容易となる。
【０００９】
また上記後扉７の上下の枠部分にサイド収納部５の開口縁部１０の外側に向けて突出する薄肉の突出部１１を設け、この薄肉の突出部１１をミラー前扉６に枢着するのが好ましく、この場合、後扉７の突出部１１を除く大部分を開口縁部１０の内側に嵌め込むことができる構造としながら、後扉７とミラー前扉６との枢着を開口縁部１０の外側で突出部１１を利用して容易に行なえる。
【００１０】
【発明の実施の形態】
以下、本発明を添付図面に示す実施形態に基づいて説明する。
【００１１】
本実施形態のミラーキャビネット１は、例えば洗面カウンター（図示せず）の後端部から上方に立設されるキャビネット本体２と、キャビネット本体２の前面に取り付けられる両開き三面鏡３とで構成されている。キャビネット本体２の上端部には照明器具３０（図１）が設置され、下端部には該照明器具３０の点灯、消灯操作を行うスイッチやコンセント等の配線器具（図示せず）が設置されている。
【００１２】
上記両開き三面鏡３は、図１、図２に示すように、キャビネット本体２の中央の前面２ａに設けられるセンターミラー３Ａと、両側の前面に設けられる一対のサイドミラー３Ｂとからなる。サイドミラー３Ｂは、表面側が鏡面となっているミラー前扉６と、ミラー前扉６に一側縁が枢着され他側縁がキャビネット本体２に枢着される後扉７とよりなる前後２枚の扉で構成されている。ミラー前扉６は、枠６ａとその内側に取着される鏡６ｂとからなる。
【００１３】
ここで、後扉７は枠状に形成されている。この枠状の後扉７の上下両端部には、薄肉の突出部１１がそれぞれ突設されている。突出部１１は、図１に示すように、サイド収納部５の開口縁部１０の外側に突出しており、突出部１１の一端部が角度保持ステー１２を用いてミラー前扉６の枠６ａの一端部に枢着されている。角度保持ステー１２は、突出部１１に引掛けてネジ止めされる略Ｌ字状のステー金具１２ａと、ミラー前扉６の枠６ａにネジ止めされる板状のステー金具１２ｂと、これらステー金具１２ａ，１２ｂの同士を互いに垂直軸回りに連結するためのヒンジピン１２ｃ（図９（ａ））とで構成されている。本例では後扉７に対してミラー前扉６を最大１０５°の角度θ１（図７、図８）まで回転できるように設定されている。
【００１４】
さらに後扉７は、図１、図２に示すように、スライド蝶番１３を介してサイド収納部５の側壁５ａに取り付けられている。スライド蝶番１３は、サイドミラー３Ｂを水平方向に９０°以上の広角度で開くことができるように、展伸・折り畳み可能とされたものである。本例のスライド蝶番１３はキャビネット本体２に対してサイドミラー３Ｂを最大１２５°の角度θ２（図５、図７）まで開くことができるようにしている。
【００１５】
さらに上記枠状に形成された後扉７には、上下の収納棚等で構成された収納部８が取り付けられている。収納部８は小物ポケットとして利用されるものであるが、その形状は特に限定されない。収納部８には化粧や整髪等のドレッシング作業に用いる化粧品、整髪料、整髪道具、歯ブラシ等の小物が収納され、ドレッシング作業中に後扉７を開けることで、これら小物を取り出して使用できるようになっている。
【００１６】
ここでは、図２に示すように、収納部８の前部８ａが枠状の後扉７の内側に入り込むようにして収納部８が後扉７に対して取り付けられている。収納部８を枠状の後扉７に取り付ける方法は特に限定されない。これにより、収納部８の奥行き寸法Ｆは後扉７の厚み分Ｅだけ大きくなり、全体としての収納量を増加できる構造となっている。なお、後扉７の内側に入り込むのは収納部８の前部８ａに限られず、収納部８全体を後扉７の内側に入り込む構造とすることも可能である。
【００１７】
さらに、キャビネット本体２に形成されるサイド収納部５の開口縁部１０の前端縁１０ａは、従来よりも前方に突出してキャビネット本体２の中央の前面２ａと略面一状に形成されている。図２に示す例では、開口縁部１０の前端縁１０ａは中央の前面２ａよりも、後扉７の薄肉の突出部１１の厚み分だけ後側Ｄに凹ませて配置されており、サイドミラー３Ｂを閉じたときには開口縁部１０の内側に後扉７の突出部１１を除いた大部分を収納できるようにしている。なお図２中の１５はサイドミラー３Ｂが９０°以上の広開度で開閉されたときに把手１６が側壁５ａに当るのを防止するための逃がし凹所、１７は隙間隠し用凸部である。
【００１８】
また本例ではセンターミラー３Ａを片開き扉として、その後側に形成したセンター収納部４に大きめの化粧ボトルやスタイリングムースなどの収納ができるようにしている。勿論、センターミラー３Ａは開かないように固定されてもよい。
【００１９】
図５〜図８はミラーキャビネット１の使用例を示している。収納部８を使用する場合は図５のようにサイドミラー３Ｂを全開（例えば１２５゜）にする。図７はミラー前扉６と後扉７をそれぞれ全開（例えば、後扉７がキャビネット本体２に対して１２５°、ミラー前扉６が後扉７に対して１０５°）にした状態を示し、図８はミラー前扉６のみを全開（例えば１０５°）にした場合を示している。図８の場合、ミラー前扉６の傾斜角度を調整することで、使用者は所望の角度状態の三面鏡３にしてこれを見ながらドレッシング作業ができる。またサイド収納部５内のトレイ９を水洗いする場合は図６のように後扉７を９０°開くことで、トレイ９を取り出すことができる。
【００２０】
上記構成によれば、サイドミラー３Ｂの後扉７を枠状に形成し、この枠状の後扉７の内側に収納部８の前部８ａを入り込ませるようにして収納部８を後扉７に対して取り付けているので、後扉７の厚み分Ｅ（図２）だけ収納部８の奥行き寸法Ｆを大きくすることができる。つまり、収納部８の奥行き寸法Ｆを枠状の後扉７の厚み分Ｅだけ増やすことで、後扉７の内側を収納スペースとして有効利用でき、従って、サイド収納部５の収納量を狭めることなく収納部８の収納量を増やすことができる結果、全体としての収納量を増加させることができる。
【００２１】
また本例では開口縁部１０の前端縁１０ａをキャビネット本体２の中央の前面２ａと略面一状に形成している。ちなみに従来は図１６のようにサイド収納部５の開口縁部１０の前端縁１０ａが板状の後扉２０よりも後側Ｄに大きく凹ませて形成しているため、キャビネット本体２の中央の前面２ａにおいて大きな凸形状１４（図１７）が生じており、仮りにサイドミラーとして通常の１枚のミラー扉を使用した場合、そのミラー扉をセンターミラー３Ａと略面一状に配置すると、ミラー扉の後側Ｄに開口縁部１０との間で大きな隙間が生じてしまい、不適である。これに対して本例では、開口縁部１０の前端縁１０ａと中央の前面２ａとが略面一状となり、キャビネット本体２の中央の前面２ａに従来のような大きな凸形状が生じないため、外観が向上するだけでなく、サイドミラー３Ｂとして２枚扉以外に図３に示すように通常の１枚のミラー扉を使用した場合でも、そのミラー扉の後側Ｄに開口縁部１０との間で隙間が生じることない。そのうえ本例では、２枚扉の場合においてサイドミラー３Ｂを閉じたときには開口縁部１０の内側に後扉７の大部分が収納されるため、ミラー前扉６をセンターミラー３Ａと面一状に配置できるようになる。この結果、サイドミラー３Ｂが２枚扉の場合、１枚扉の場合のいずれにも本発明のキャビネット本体２を兼用できるようになり、低コスト化を実現できる。
【００２２】
さらに本例では、後扉７の上下の枠部分から開口縁部１０の外側に向かって薄肉の突出部１１を突出させ、この薄肉の突出部１１をミラー前扉６に枢着したので、後扉７の突出部１１を除く大部分を開口縁部１０の内側に嵌め込むことができる構造としながら、後扉７とミラー前扉６との枢着を開口縁部１０の外側で突出部１１を利用して容易に行なうことができる。なお、後扉７を突出部１１以外の箇所でミラー前扉６に枢着してもよいものであり、この場合、突出部１１は省略可能であるため、開口縁部１０の前端縁１０ａを更に前方に突出させて、後扉７全体を開口縁部１０の内側に収納することが可能となる。
【００２３】
枠状の後扉７の他の実施形態として、図９（ａ）に示すように、面板７ｂの前面に収納凹所１１ａを設け、後面側に枠部７ｃを設け、枠部７ｃの内側に棚板等を取り付けた収納部（図示せず）を取り付け、面板７ｂの上下両端からリブ形状をした薄肉の突出部１１をそれぞれ突設させてもよい。このように面板７ｂの前側に収納凹所１１ａを配置することで、小分け収納が可能となり、使い勝手が良くなる。なお、図９（ｂ）に示すように、収納凹所１１ａは省略可能である。
【００２４】
さらに枠状の後扉７の更に他の実施形態として、図１０〜図１２に示すように、後扉７を枠体７ａと面板７ｂとで構成し、面板７ｂの背面に収納部８を取着するようにしてもよい。図１１は後扉７の枠体７ａの前端部に寄せて面板７ｂを取り付け、枠体７の厚みから面板７ｂの厚みを差し引いた厚み分Ｅ’だけ、収納部８の奥行き寸法Ｆ’を大きくした場合を示している。図１２は後扉７の枠体７ａの中央に寄せて面板７ｂを取り付け、枠体７の約半分の厚み分Ｅ”だけ、収納部８の奥行き寸法Ｆを大きくした場合を示している。いずれの場合も、枠体７ａの中に嵌め込まれる面板７ｂに収納部８を取り付けることで、枠体７ａの内側に入り込むようにして収納部８を取り付けることが容易となる。特に図１２の場合は面板７ｂの前側にも収納部８’を配置することで、小分け収納が可能となり、使い勝手が良くなる。
【００２５】
【発明の効果】
上述のように請求項１記載の発明にあっては、キャビネット本体の中央の前面にセンターミラー、両側の前面にサイドミラーが各々設けられ、サイドミラーの後側にサイド収納部を形成してなる両開き三面鏡型のミラーキャビネットであって、サイドミラーをミラー前扉とミラー前扉に枢着される後扉とで構成し、後扉を枠状に形成すると共に、枠状の後扉の内側に少なくとも前部が入り込むようにして収納部を後扉側に取り付けて成るので、収納部の奥行き寸法を枠状の後扉のほぼ厚み分だけ増やすことができ、これにより後扉の厚み分を収納スペースとして有効利用できるので、サイド収納部の収納量を狭めることなく後扉に取り付けられる収納部の奥行きを増やすことができ、この結果、全体としての収納量を増加させることができる。
【００２６】
また請求項２記載の発明は、請求項１記載の効果に加えて、キャビネット本体に形成されるサイド収納部の開口縁部の前端縁をキャビネット本体の中央の前面と略面一状に形成すると共に、サイドミラーを閉じたときに該開口縁部の内側に後扉の全部又はその大部分を収納できるようにしたので、サイドミラーが２枚扉の場合は後扉がサイド収納部の開口縁部の内側に入り込むことで、ミラー前扉をセンターミラーと略面一状に配置できるようになり、一方、サイドミラーが通常の１枚扉の場合はサイドミラーの背面に開口縁部が近接配置されて隙間が生じることがない。この結果、サイドミラーが２枚扉以外に通常の１枚扉の場合であっても共通のキャビネット本体を兼用でき、低コスト化を図ることができる。
【００２７】
また請求項３記載の発明は、請求項１又は２記載の効果に加えて、後扉は、枠体と枠体の中に嵌め込まれる面板とで構成され、面板に収納部を取り付けたので、枠体の中に嵌め込まれる面板に収納部を取り付けることで、枠体の内側に入り込むようにして収納部を取り付けることが容易となる。
【００２８】
また請求項４記載の発明は、請求項１乃至３のいずれかに記載の効果に加えて、後扉の上下の枠部分にサイド収納部の開口縁部の外側に向けて突出する薄肉の突出部を設け、この薄肉の突出部をミラー前扉に枢着したので、後扉の突出部を除く大部分を開口縁部の内側に嵌め込むことができる構造としながら、後扉とミラー前扉との枢着を開口縁部の外側で突出部を利用して容易に行なうことができる。
【図面の簡単な説明】
【図１】本発明の実施形態の一例を示す側面断面図である。
【図２】同上の平面図である。
【図３】同上のサイドミラーが１枚扉の場合の参考図である。
【図４】同上のキャビネット本体の正面図である。
【図５】同上のサイドミラーの全開状態を説明する平面図である。
【図６】同上のサイドミラーを９０°開いてトレイを取り出す場合を説明する平面図である。
【図７】同上のサイドミラーのミラー前扉と後扉をそれぞれ全開状態とした場合を説明する平面図である。
【図８】同上のミラー前扉のみを全開状態とした場合を説明するの平面図である。
【図９】（ａ）は後扉の他の実施形態の分解斜視図、（ｂ）は後扉の更に他例の斜視図である。
【図１０】同上の後扉の更に他の例の分解斜視図である。
【図１１】同上の面板を枠体の前端寄りに取り付けた場合の断面図である。
【図１２】同上の面板を枠体の中央部寄りに取り付けた場合の断面図である。
【図１３】従来例の側面断面図である。
【図１４】従来例の側面図である。
【図１５】従来例の平面図である。
【図１６】従来例のサイドミラーとキャビネット本体とを説明する側面図である。
【図１７】従来例のサイドミラーとセンターミラーとキャビネット本体と説明する斜視図である。
【符号の説明】
１　ミラーキャビネット
２　キャビネット本体
２ａ　前面
３　両開き三面鏡
３Ａ　センターミラー
３Ｂ　サイドミラー
６　ミラー前扉
７　後扉
７ａ　枠体
７ｂ　面板
８　収納部
８ａ　前部
１０　開口縁部
１０ａ　前端縁
１１　突出部
Ｄ　後側
Ｅ　厚み分
【図１】
2004057406.tif 000003
【図２】
2004057406.tif 000004
【図３】
2004057406.tif 000005
【図４】
2004057406.tif 000006
【図５】
2004057406.tif 000007
【図６】
2004057406.tif 000008
【図７】
2004057406.tif 000009
【図８】
2004057406.tif 000010
【図９】
2004057406.tif 000011
【図１０】
2004057406.tif 000012
【図１１】
2004057406.tif 000013
【図１２】
2004057406.tif 000014
【図１３】
2004057406.tif 000015
【図１４】
2004057406.tif 000016
【図１５】
2004057406.tif 000017
【図１６】
2004057406.tif 000018
【図１７】
2004057406.tif 000019